(57)【要約】【課題】可動部の移動を阻止するロックレバーを、手動ではなく電動によって駆動することにより、操作性の向上を図った開閉器の誤操作防止用鎖錠装置を提供する。【解決手段】アーマチュア２の移動を阻止するロックレバー４と、ロックレバー４に取り付けられたバネ５と、ロックレバー４を駆動するソレノイドコイル６と、ロックレバー４及びソレノイドコイル６を接続するリンク７と、ソレノイドコイル６に電気操作信号を送る送信部９とを備える。【選択図】図１
2020087809.tif 000002
【特許請求の範囲】
【請求項１】
可動部を有するアクチュエータによって開閉操作がなされる開閉器の誤操作防止用鎖錠装置であって、
前記可動部の移動を阻止する入り状態、あるいは前記可動部の移動阻止を解除する切り状態になる移動自在なロックレバーと、
前記ロックレバーを駆動するレバー駆動部と、
前記レバー駆動部に電気操作信号を送る送信部と、を備えた開閉器の誤操作防止用鎖錠装置。
【請求項２】
前記切り状態になるように前記ロックレバーを付勢するバネが前記ロックレバーに取り付けられた請求項１に記載の開閉器の誤操作防止用鎖錠装置。
【請求項３】
前記レバー駆動部に、前記ロックレバーが切り状態になるように重力方向に動く可動部が設けられた請求項１又は２に記載の開閉器の誤操作防止用鎖錠装置。
【請求項４】
前記ロックレバー及び前記レバー駆動部には、前記ロックレバーの動く方向と前記レバー駆動部の駆動方向とを変更するためのリンクが接続された請求項１〜３のいずれかに記載の開閉器の誤操作防止用鎖錠装置。
【請求項５】
前記ロックレバーを手動により動作させる手動動作部が設けられた請求項１〜４のいずれかに記載の開閉器の誤操作防止用鎖錠装置。
【発明の詳細な説明】
【技術分野】
【０００１】
本発明の実施形態は、開閉器の誤操作を防止するために用いられる鎖錠装置に関する。
【背景技術】
【０００２】
従来から、アクチュエータによって開閉操作がなされる開閉器が知られている。例えば、電磁アクチュエータでは、ヨーク内の可動部（ここではアーマチュア）が動作することで、開閉器の開閉操作を行い、開閉器を開路状態又は閉路状態とする。開路状態にある開閉器において誤って投入されるなど、アクチュエータの誤操作が起きると、突然の電源投入が発生するといった不具合が生じる。
【０００３】
そのため、開閉器には誤操作防止用鎖錠装置（以下、単に鎖錠装置とも呼ぶ）が設けられている。鎖錠装置としては例えば、アクチュエータの可動部の動作を阻止するロックレバーを備えたものが提案されている。この鎖錠装置では、作業者が手動でロックレバーを動作させ、ロックレバーをヨーク内のギャップに挿入する。
【０００４】
これにより、ロックレバーがアーマチュアの移動を阻止する。電磁アクチュエータではアーマチュアが開閉器を開路又は閉路するための可動部なので、その移動を阻止することで、開閉器の開路状態あるいは閉路状態を保持することができる。これにより、鎖錠装置では開閉器の誤操作を防止することが可能となる。
【先行技術文献】
【特許文献】
【０００５】
【特許文献１】特開２０１０−２２５６６６６号公報
【発明の概要】
【発明が解決しようとする課題】
【０００６】
アクチュエータの可動部の移動を阻止するロックレバーは、アクチュエータに隣接して配置する方が望ましい。また、アクチュエータは通常、ある程度の大きさを持つため、開閉器の上部や背面部などに比較的広い設置面積を取って取り付けられている。従って、ロックレバーを含む鎖錠装置も開閉器の上部や背面部などに配置されることが多い。その結果、鎖錠装置は作業者の手が届きにくい場所に設置されることがあった。
【０００７】
本発明は上記の問題を解決するためになされたものであり、可動部の移動を阻止するロックレバーを、手動ではなく電動によって駆動することにより、操作性の向上を図った開閉器の誤操作防止用鎖錠装置を提供することを課題とする。
【課題を解決するための手段】
【０００８】
上記目的を達成するために、本発明の実施形態は、可動部を有するアクチュエータによって開閉操作がなされる開閉器の誤操作防止用鎖錠装置であって、次の構成要素（ａ）〜（ｃ）を有する。
（ａ）前記可動部の移動を阻止する入り状態、あるいは前記可動部の移動阻止を解除する切り状態になる移動自在なロックレバー。
（ｂ）前記ロックレバーを駆動するレバー駆動部。
（ｃ）前記レバー駆動部に電気操作信号を送る送信部。
【図面の簡単な説明】
【０００９】
【図１】第１の実施形態の斜視図。
【図２】第１の実施形態において電磁アクチュエータの動作を説明するための側面図。
【図３】第１の実施形態の側面図。
【図４】第１の実施形態においてロックレバーの動作を説明するための平面図。
【発明を実施するための形態】
【００１０】
（構成）
以下、図１〜図４を参照して本発明の第１の実施形態の構成について具体的に説明する。第１の実施形態は、アクチュエータ３によって開閉操作がなされる開閉器の誤投入防止用鎖錠装置である。
【００１１】
（アクチュエータ）
アクチュエータ３は例えば、電磁アクチュエータである。図１及び図２に示すように、アクチュエータ３には、磁路を形成するヨーク１が設けられている。ヨーク１は中空の直方体で、断面がロ字状となる部材からなる。ヨーク１上面部の内側の中央には、下方に突出して永久磁石１０が設置されている。永久磁石１０は、例えばネオジウム系材料からなる。ヨーク１側面部の内側の下方寄りには、ヨーク１の中心軸に向かって水平方向に突出する一対の突出部１１が設けられている。
【００１２】
ヨーク１の内部には、アーマチュア２が上下動自在に収納されている。アーマチュア２は、開閉器の開路または閉路のための可動部である。アーマチュア２の上部には非磁性体の操作軸１２が垂直に固定されている。操作軸１２はヨーク１の上面部を貫通してヨーク１外部に突出している。
【００１３】
図２の右側に示すように、励磁されてオン状態になったアクチュエータ３では、アーマチュア２が上昇位置に移動している。そのため、アーマチュア２の動きが操作軸１２を介して開閉器に伝わり、開閉器は閉路状態になる。アーマチュア２は永久磁石１０の磁力を受けて上昇位置を保持するようになっている。図２の左側に示すように、励磁が切れてアクチュエータ３がオフ状態になると、アーマチュア２は下降位置に移動し、アーマチュア２の動きが操作軸１２を介して開閉器に伝わり、開閉器は開路状態になる。
【００１４】
アーマチュア２には、軸部１３が設けられ、軸部１３の底部に鍔部１４が形成されている。軸部１３は、鍔部１４の中央に立ち上げられており、ヨーク１側面部の一対の突出部１１の間隙に、所定の間隙を持って上下動自在に配置されている。
【００１５】
アーマチュア２の鍔部１４は、その幅寸法（径）が、ヨーク１側面部の一対の突出部１１の間隙よりも長く設定されている。永久磁石１０がアーマチュア２を保持する時、鍔部１４の上面が突出部１１の下面と接して突出部１１がアーマチュア２の上昇を規制する。この時の位置がアーマチュア２の上昇位置となる。
【００１６】
これに対して、永久磁石１０からアーマチュア２が離れて下降し、アーマチュア２の鍔部１４の下面がヨーク１の底面部の内面に接した位置が、アーマチュア２の下降位置となる。アーマチュア２が下降位置にある時、アーマチュア２の鍔部１４の上面とヨーク１の突出部１１の下面とによってギャップ８が形成される（図２の左側に図示）。
【００１７】
（第１の実施形態の構成の概要）
第１の実施形態は、アーマチュア２の移動を阻止するロックレバー４と、ロックレバー４に取り付けられたバネ５と、ロックレバー４を駆動するソレノイドコイル６と、ロックレバー４及びソレノイドコイル６を接続するリンク７と、ソレノイドコイル６に電気操作信号を送る送信部９とを備えている。
【００１８】
（ロックレバー）
ロックレバー４は、アクチュエータ３の下部に近接して水平方向に回動自在に配置された扇状の部材である。図４に示すように、ロックレバー４が反時計回転方向に回転すると、ロックレバー４の縁部がアクチュエータ３側のギャップ８に入り込み、アーマチュア２の上昇を阻止する。この状態をロックレバー入り状態（図４の下段）と呼ぶ。この状態が、鎖錠装置がアクチュエータ３のアーマチュア２を鎖錠した状態である。
【００１９】
図４において、ロックレバー４が時計回転方向に回転してロックレバー４の縁部がギャップ８から外れると、アーマチュア２の移動阻止を解除してアーマチュア２の上昇動作を許容する。この状態をロックレバー切り状態（図４の上段）と呼ぶ。この状態が、鎖錠装置がアクチュエータ３のアーマチュア２を解錠した状態である。
【００２０】
（バネ）
ロックレバー４には、略Ｌ字状の連結リンク１５及びリンク保持部１６を介してバネ５が取り付けられている。バネ５は、リンク保持部１６を図４の左方向に付勢することで、ロックレバー４をギャップ８から外す方向つまりロックレバー４が常時切となる方向に付勢力を働かせるロックレバー付勢部である。バネ５の図４の左側の端部には連結ロッド１７が取り付けられいる。
【００２１】
（リンク）
図３に示すように、連結ロッド１７の端部には略三角形状のリンク７が取り付けられている。リンク７は、３つの頂点付近に支軸７ａ〜７ｃが設置されている。リンク７の支軸７ａはソレノイドコイル６のアーマチュア１８に設置される。ソレノイドコイル６はロックレバー４を駆動するレバー駆動部であり、アーマチュア１８はソレノイドコイル６の可動部である。リンク７の支軸７ｂはソレノイドコイル６が固定される固定台１９の側面部１９ａの内面部に設置される。リンク７の支軸７ｃは連結ロッド１７に設置されている。
【００２２】
このようなリンク７は、連結ロッド１７、リンク保持部１６及び連結リンク１５を介してソレノイドコイル６のアーマチュア１８とロックレバー４とを接続する。リンク７は、支軸７ｂを中心に回動することにより、連結ロッド１７の移動方向（図３の左右方向）の向きと、ソレノイドコイル６のアーマチュア１８の移動方向（図３の上下方向）の向きとを変更する。
【００２３】
（ソレノイドコイル）
固定台１９は、アクチュエータ３に隣接して配置されている。固定台１９には、側面部１９ａに支持されて上面部１９ｂが設けられており、この上面部１９ｂにソレノイドコイル６が固定されている。前述したように、ソレノイドコイル６はロックレバー４を駆動するレバー駆動部である。ソレノイドコイル６は、アクチュエータ３よりも十分にコンパクトなものが用いられている。
【００２４】
ソレノイドコイル６には、可動部としてアーマチュア１８が設けられている。アーマチュア１８は、固定台１９の上面部１９ｂから下方に突出するようにして配置されている。ソレノイドコイル６が励磁されてオン状態になると、アーマチュア１８は上方へ移動する。また、ソレノイドコイル６の励磁が切れてオフ状態になると、アーマチュア１８は重力すなわち自重によって下方へ移動する。
【００２５】
（送信部）
ソレノイドコイル６には送信部９が電気的に接続されている。送信部９は、単純なスイッチ構造を持つもので、作業者が操作し易い場所に配置可能であり、スイッチの押圧操作などによりソレノイドコイル６に開路操作信号を送る。
【００２６】
（作用）
以上の構成を有する第１の実施形態では、次のようにして開閉器の誤投入を防止する。開閉器が開路状態の時、アクチュエータ３はオフ状態である。そのため、アーマチュア２は下降位置にあり、アーマチュア２の鍔部１４の上面とヨーク１の突出部１１の下面とによってギャップ８が形成されている。
【００２７】
この状態で送信部９がソレノイドコイル６に開路操作信号を送る。その結果、ソレノイドコイル６に電流が流れ、ソレノイドコイル６は励磁されてオン状態となり、アーマチュア１８は上方へ移動する。アーマチュア１８が上昇したことで、リンク７は図３において支軸７ｂを中心に反時計回転方向に回転し、支軸７ｃが連結ロッド１７を図３の右方向に押す。
【００２８】
そのため、リンク保持部１６も図３の右方向に移動して、連結リンク１５はリンク保持部１６に保持された部分を中心に反時計回転方向に回転し、ロックレバー４も反時計回転方向に回転する。その結果、ロックレバー４の縁部がアクチュエータ３のギャップ８に入り込み、ロックレバー４は入り状態となる（図４の下段）。ソレノイドコイル６の励磁が保持される限り、ロックレバー４の入り状態も保持される。
【００２９】
ギャップ８にロックレバー４の縁部が挿入されたことで、開閉器の投入動作を行ったとしても、アクチュエータ３のアーマチュア２はロックレバー４に干渉する。そのため、アーマチュア２は物理的に上方へ動作することができず、開閉器は開路状態のまま維持される。このようにして、第１の実施形態では開閉器の誤投入を防止することができる。
【００３０】
ソレノイドコイル６の励磁が切られてオフ状態になると、アーマチュア１８は重力すなわち自重によって下方へ移動する。そのため、リンク７は、図３において支軸７ｂを中心に時計回転方向に回転し、支軸７ｃが連結ロッド１７を図３の左方向に押す。これにより、連結ロッド１７及びリンク保持部１６は左方向に移動して、連結リンク１５はリンク保持部１６に保持された部分を中心に時計回転方向に回転し、ロックレバー４も時計回転方向に回転する。
【００３１】
その結果、ロックレバー４は切り状態となり、ロックレバー４の縁部がアクチュエータ３のギャップ８から外れる（図４の上段）。また、バネ５は、ロックレバー４が常時切となる方向に付勢力を働かせている。従って、リンク保持部１６は左方向に移動して、連結リンク１５はリンク保持部１６に保持された部分を中心に時計回転方向に回転する。つまり、ソレノイドコイル６の励磁が切れた際には、バネ５によってロックレバー４が切状態になる方向に動作し、ギャップ８から外れる方向に動くことになる。
【００３２】
（効果）
以上の第１の実施形態では、アーマチュア２の移動を阻止するロックレバー４と、ロックレバー４を駆動するソレノイドコイル６と、ソレノイドコイル６に電気操作信号を送る送信部９を備える。そのため、送信部９がソレノイドコイル６に開路操作信号を送ると、ソレノイドコイル６が動作し、手動操作ではなく電動操作によってロックレバー４を駆動する。これにより、アーマチュア２の移動を阻止することができる。
【００３３】
従って、第１の実施形態によれば、ロックレバー４を手作業で動作させる必要が無く、送信部９によるロックレバー４の遠隔操作が可能である。送信部９は単純なスイッチ構造を持つものでよいため、開閉器の上部や背面部などではなく、作業者が操作し易い場所、例えば開閉器の前面パネルなどに設置可能である。また、送信部９を、制御室や、開閉器から独立したパネルなど、開閉器から離した場所に設置することも可能である。この場合、作業者がわざわざ開閉器の近くまで行くことなく、送信部９を利用してロックレバー４の操作が可能となる。
【００３４】
以上のような第１の実施形態に係る開閉器の誤操作防止用鎖錠装置では、ロックレバー４の操作性が向上する。操作性の向上を図った第１の実施形態では、鎖錠装置による鎖錠をし忘れる心配がなく、開閉器の誤操作を一層確実に防止することができる。
【００３５】
また、第１の実施形態では、ソレノイドコイル６の励磁が切れると、ソレノイドコイル６のアーマチュア１８は重力すなわち自重によって、自動的に下方へ移動する。そのため、リンク７は図３において中心に時計回転方向に回転して連結ロッド１７を図３の左方向に押し、連結ロッド１７が左方向に移動する。従って、ロックレバー４の縁部がアクチュエータ３のギャップ８から外れる（図４の上段）。このとき、バネ５は、ロックレバー４を常時切となる方向に付勢させるので、ロックレバー４を確実にギャップ８から外すことができる。
【００３６】
このような第１の実施形態によれば、電源供給が止まりソレノイドコイル６の励磁が切れると、ロックレバー４は入り状態から切り状態に自動的に動作する。そのため、ソレノイドコイル６の励磁を切るだけで鎖錠装置の鎖錠を即座に解くことができ、操作性をより高めることができる。
【００３７】
さらに、第１の実施形態では、ロックレバー４及びソレノイドコイル６をリンク７で接続し、リンク７が、連結ロッド１７の移動方向（図３の左右方向）の向きと、ソレノイドコイル６のアーマチュア１８の移動方向（図３の上下方向）の向きとを変更することで、ロックレバー４の動く方向とソレノイドコイル６のアーマチュア１８の動く方向とを変えることができる。従って、ロックレバー４の動く方向とソレノイドコイル６の動く方向とを同じ方向とする場合に比べて、ソレノイドコイル６を垂直方向に立ち上げることが可能となり、ソレノイドコイル６の設置面積を削減することができる。
【００３８】
しかも、ソレノイドコイル６はアクチュエータ３よりも十分にコンパクトなものを用いることができるので、アクチュエータ３に近接したスペースに、ソレノイドコイル６、リンク７及びロックレバー４並びに連結リンク１５や連結ロッド１７を、効率良く配置することが可能である。これにより、少ないスペースに第１の実施形態に係る鎖錠装置を配置することが可能であり、開閉器の小型化に寄与することができる。
【００３９】
（他の実施形態）
以上説明した実施形態は、本発明の実施形態の一例として提示したものであり、発明の範囲を限定することは意図していない。本発明の実施形態は、その他の様々な形態で実施されることが可能であり、発明の要旨を逸脱しない範囲で、種々の省略、置き換え、変更を行うことができる。これら実施形態やその変形例は、発明の範囲や要旨に含まれると同様に、特許請求の範囲に記載された発明とその均等な範囲に含まれる。
【００４０】
上記の実施形態は、開閉器の誤投入防止用鎖錠装置としたが、開閉器の誤操作としては誤遮断も含むため、開閉器の誤遮断防止用鎖錠装置とすることも可能である。例えば、開閉器が閉路状態の時、アクチュエータ３はオン状態であって、アーマチュア２は上昇位置にあり、アーマチュア２の鍔部１４の上面が突出部１１の下面と接している。従って、アーマチュア２の鍔部１４の下面とヨーク１の底面部の内面との間に、ギャップ８が形成されることになり、このギャップ８にロックレバー４を入り込ませるようにする。
【００４１】
すなわち、送信部９がソレノイドコイル６に閉路操作信号を送り、ソレノイドコイル６に電流が流れて、ソレノイドコイル６が励磁されオン状態となるように設定する。ソレノイドコイル６の励磁によりアーマチュア１８は上方へ移動し、リンク７は図３の反時計回転方向に回転して、連結ロッド１７を図３の右方向に押す。
【００４２】
そのため、リンク保持部１６も図３の右方向に移動して、連結リンク１５がリンク保持部１６に保持された部分を中心に反時計回転方向に回転し、ロックレバー４も反時計回転方向に回転する。その結果、ロックレバー４の縁部がアクチュエータ３のギャップ８に入り込み、ロックレバー４は入り状態となる（図４の下段）。従って、ロックレバー４がアーマチュア２の下降を阻止することができ、開閉器の閉路状態を保持して開閉器の誤遮断を防止することが可能となる。
【００４３】
ロックレバー４を駆動するレバー駆動部としては、ソレノイドコイル６に限らず、適宜変更可能である。ロックレバー４及びソレノイドコイル６に接続されるリンク７や連結リンク１５、連結ロッド１７などの構造も適宜選択可能である。送信部９はソレノイドコイル６に対して開路操作信号及び閉路操作信号を選択的に送信するようにしてもよい。
【００４４】
また、ロックレバー４を手動により動作させる手動動作部が設けられていてもよい。この実施形態によれば、手動操作と電動操作の２系統でロックレバー４を動作させることが可能である。従って、電源供給が止まってソレノイドコイル６が動作しない場合であっても、手動操作によりロックレバー４を動作させて、アーマチュア２の移動を確実に阻止することができる。
【符号の説明】
【００４５】
１…ヨーク
２、１８…アーマチュア
３…アクチュエータ
４…ロックレバー
５…バネ
６…ソレノイドコイル
７…リンク
８…ギャップ
９…送信部
１０…永久磁石
１１…突出部
１２…操作軸
１３…軸部
１４…鍔部
１５…連結リンク
１６…リンク保持部
１７…連結ロッド
１９…固定台
【図１】
2020087809.tif 000003
【図２】
2020087809.tif 000004
【図３】
2020087809.tif 000005
【図４】
2020087809.tif 000006